(57)【特許請求の範囲】
【請求項１】
筒状体と、該筒状体の外周面から外側に突出するとともに該筒状体の軸方向へ延在する取付リブとを備える竪樋を、外壁に支持固定する竪樋支持具であって、
前記取付リブが嵌入される嵌入溝が形成され前記外壁に固定される固定部と、
該固定部の外周面から前記嵌入溝が延びる方向へ突出する姿勢確認用突出部とを備え、
該姿勢確認用突出部は、前記固定部と一体に形成されている、または前記固定部に固定されていることを特徴とする竪樋支持具。
【請求項２】
前記姿勢確認用突出部は、前記嵌入溝近傍に、かつ上下方向のいずれか一方または双方へ突出するように設けられていることを特徴とする請求項１に記載の竪樋支持具。
【発明の詳細な説明】
【技術分野】
【０００１】
本発明は、住宅などの外壁に取り付けられて、竪樋を支持する竪樋支持具に関する。
【背景技術】
【０００２】
住宅などには、屋根から流れ落ちる雨水を受ける軒樋と、集水器や呼び樋を介して軒樋に接続され、軒樋に集められた雨水を排水管に導くための竪樋とを備えた雨樋が設置されている。竪樋を住宅などの外壁に設置するには、竪樋を外壁に支持、固定するための竪樋支持具を外壁に固定し、この竪樋支持具に竪樋を固定している。
【０００３】
従来より、竪樋支持具としては、竪樋の外周面に巻き回すように取り付けられて竪樋を締め付け保持する環状のバンド部と、このバンド部を外壁に固定する固定部とを備えたものが多用されている。
しかし、この種の竪樋支持具は、竪樋の外周面に環状のバンド部が露出し、外観を損なう場合があるため、近年では、外観を損なうことなく竪樋を固定支持することが可能な竪樋支持具が提案されている。
【０００４】
例えば、特許文献１に開示された竪樋の取付構造では、竪樋は、外周面から外側に突出し先端に膨出状の係止部を備えるとともに竪樋の軸方向へ延在する取付リブが形成されており、住宅などの外壁に固定され、この取付リブが嵌入される嵌入溝が形成された竪樋支持具に固定されることによって住宅などの外壁に支持されている。
【０００５】
この竪樋支持具は、嵌入溝に取付リブが嵌入されることで竪樋を支持しているため、従来の竪樋支持具に設けられているバンド部が不要となり、竪樋を支持している状態において竪樋の背面側、すなわち外壁側に隠れてしまうため、竪樋支持具が露出して外観を損なうことがない。
また、竪樋を住宅などの外壁に取り付けるときには、従来のバンド部を竪樋の外周に巻き回して固定する作業の代わりに、取付リブを嵌入溝に嵌入させる作業を行えばよいため、作業性がよく、効率よく竪樋を取り付けることができる。
【先行技術文献】
【特許文献】
【０００６】
【特許文献１】特開２０００−３４８１１号公報
【発明の概要】
【発明が解決しようとする課題】
【０００７】
上記従来の竪樋支持具を住宅などの外壁に取り付ける際には、嵌入溝の延びる方向が取付リブ、すなわち竪樋の延在方向と同じ鉛直方向となるように取り付ける必要がある。
【０００８】
しかしながら、このような竪樋支持具は、バンド体を備える竪樋支持具と比べて大きさが小さく、また、嵌入溝の長さも短いため、嵌入溝が鉛直方向に延びているかを確認しづらく、曲がった向きに取り付けられてしまうことがある。そして、竪樋支持具が曲がった向きに取り付けられると、竪樋支持具へ竪樋を固定しにくいとともに、取り付けられた竪樋が歪んだり湾曲したりする虞がある。
特に、竪樋支持具が、竪樋が配される側から見て正方形状に形成されていると、更にその向きを確認しづらく、住宅などの外壁に曲がった向きに取り付けられてしまうことがある。
【０００９】
本発明が解決しようとする課題は、住宅などの外壁へ取り付ける向きを容易に確認することができて、住宅などの外壁へ所望の向きに取り付けることができる竪樋支持具を提供することにある。
【課題を解決するための手段】
【００１０】
そこで、本発明は、上記課題を解決するために以下の手段を提供している。
請求項１に記載の竪樋支持具は、筒状体と、該筒状体の外周面から外側に突出するとともに該筒状体の軸方向へ延在する取付リブとを備える竪樋を、外壁に支持固定する竪樋支持具であって、前記取付リブが嵌入される嵌入溝が形成され前記外壁に固定される固定部と、該固定部の外周面から前記嵌入溝が延びる方向へ突出する姿勢確認用突出部とを備え、該姿勢確認用突出部は、前記固定部と一体に形成されている、または前記固定部に固定されていることを特徴とする。
【００１１】
請求項２に記載の竪樋支持具は、前記姿勢確認用突出部は、前記嵌入溝近傍に、かつ上下方向のいずれか一方または双方へ突出するように設けられていることを特徴とする。
【発明の効果】
【００１２】
請求項１に記載の竪樋支持具によれば、固定部の外周面から嵌入溝が延びる方向へ突出する姿勢確認用突出部を備えていることにより、嵌入溝が延びる方向を確認しやすいため、竪樋支持具を外壁に取り付けるときに、嵌入溝が延びる方向を、例えば鉛直方向など所望の方向とした状態で外壁に取り付けることができる。
そして、竪樋支持具は、嵌入溝が延びる方向が取付リブの延在方向と同じ方向となるように外壁に取り付けられるため、この竪樋支持具に竪樋をスムーズに取り付けることができるとともに、竪樋支持具に支持された竪樋が歪んだり湾曲したりすることを防ぐことができる。
また、竪樋支持具は、嵌入溝に竪樋の取付リブを嵌入することによって、竪樋を支持することができるため、竪樋を外壁へ容易に取り付けることができるとともに、竪樋支持具が竪樋の背面側に隠れ、外観を損なうことがない。
【００１３】
請求項２に記載の竪樋支持具によれば、姿勢確認用突出部は、嵌入溝近傍に設けられていることにより、竪樋支持具に竪樋が取り付けられたときに、姿勢確認用突出部が竪樋側に位置するため、姿勢確認用突出部が竪樋の背面側に隠れやすく、外観を損なうことがない。
【図面の簡単な説明】
【００１４】
【図１】本発明の実施形態による竪樋と竪樋支持具の一例を示す図である。
【図２】本発明の実施形態による竪樋支持具の斜視図である。
【図３】本発明の実施形態による竪樋の取付構造を示す断面図である。
【図４】（ａ）は本発明の実施形態による竪樋の取付構造を示す斜視図、（ｂ）は（ａ）と異なる向きから見た竪樋の取付構造を示す斜視図である。
【発明を実施するための形態】
【００１５】
以下、本発明の実施形態による竪樋支持具について、図１乃至図５に基づいて説明する。
図１に示すように、本実施形態による竪樋支持具１は、住宅などの外壁の壁面Ｔに取り付けられて、鉛直方向に延在する竪樋１１を支持している。本実施形態では、鉛直方向へ互いに所定の間隔をあけるように取り付けられた複数の竪樋支持具１が、１つの竪樋１１を支持している。
【００１６】
竪樋１１は、筒状に形成された筒状体１２と、該筒状体１２の外周面１２ａから筒状体１２の径方向外側に突出するとともに筒状体１２の軸方向へ延在する取付リブ１３とを備えている。
取付リブ１３は、軸方向に直交する断面視において略Ｔ字状に形成されていて、筒状体１２の外周面１２ａから径方向外側に突出する軸部１４と、該軸部１４の突出方向先端からこの突出方向に直交する方向両側へそれぞれ膨出するように形成された係止部１５と、を備えている。そして、竪樋１１には、筒状体１２と軸部１４および係止部１５に囲まれた溝部１６が形成されている。
なお、取付リブ１３は、筒状体１２の外周面から外側に突出していればよく、上記以外の形状としてもよい。
【００１７】
図１乃至図３に示すように、竪樋支持具１は、壁面Ｔに固定される固定部２と、壁面Ｔへの取り付け向きを確認するための姿勢確認用突出部３と、を備えている。また、竪樋支持具１は、ＡＥＳ、ＡＢＳ、ポリカーボネート、ポリ塩化ビニルなどの樹脂を用いて押出成形や射出成形により成形されている。
ここで、図１に示すように、竪樋支持具１が壁面Ｔに取り付けられたときに、上端部１ａとなる側を上側、下端部１ｂとなる側を下側とし、壁面Ｔと当接する端部１ｃ側を壁面Ｔ側、竪樋１１と当接する端部１ｄ側を竪樋１１側として以下説明する。
【００１８】
図１乃至図３に示すように、固定部２は、略直方体状の部材で、竪樋１１（図１、図３参照）側の面に、その全高さにわたって鉛直方向に延びて、取付リブ１３（図１、図３参照）が嵌入される嵌入溝２１が形成されている。
そして、固定部２の壁面Ｔ側の面は、竪樋支持具１が壁面Ｔ（図１、図３参照）に固定されたときに、壁面Ｔと当接している。
【００１９】
また、固定部２には、嵌入溝２１を両側から挟むように配されて、弾性変形可能な一対の挟持部２２，２２が設けられている。
一対の挟持部２２，２２は、その間隔が取付リブ１３（図１、図３参照）の係止部１５の幅寸法よりも小さい寸法に形成されていて、互いに離間するように弾性変形することで嵌入溝２１に取付リブ１３が挿入可能に構成されている。
【００２０】
また、一対の挟持部２２，２２は、竪樋１１側にそれぞれ他の挟持部２２側へ突出する係止片２３が形成されている。
図３に示すように、この一対の係止片２３，２３は、嵌入溝２１に取付リブ１３が嵌入されたときに、竪樋１１の溝部１６にそれぞれ挿入され、取付リブ１３を係止するように構成されている。
そして、一対の係止片２３，２３は、竪樋１１の溝部１６に挿入されたときに、竪樋１１側の端面が筒状体１２の外周面１２ａと当接し、壁面Ｔ側の端面が取付リブ１３の係止部１５と当接するように構成されている。
【００２１】
また、一対の係止片２３，２３は、互いに対向する側の端面と竪樋１１側の端面との連続面２３ａが、外側に凸状となる略円弧面状に形成されている。このため、取付リブ１３を嵌入溝２１へ嵌入させるときに、取付リブ１３の係止部１５を係止片２３の略円弧面状の連続面２３ａに押し付けると、取付リブ１３はこの円弧面状の連続面２３ａにガイドされて壁面Ｔ側へ移動するとともに、一対の挟持部２２，２２を互いに離間する方向に押し広げて弾性変形させ、一対の挟持部２２，２２の間隔を拡張させることができる。
これにより、取付リブ１３が嵌入溝２１に挿入され、嵌入溝２１に嵌入可能に構成されている。
【００２２】
また、固定部２には、嵌入溝２１と連通し、嵌入溝２１から壁面Ｔ側へ貫通する貫通孔２４が形成されている。この貫通孔２４には、竪樋支持具１を壁面Ｔに固定するためのビス４１が挿通可能に構成されている。
【００２３】
姿勢確認用突出部３は、壁面Ｔへ竪樋支持具１を固定するときに、嵌入溝２１が延びる方向を確認し易くするために竪樋支持具１に設けられている。
このため、図１および図２に示すように、姿勢確認用突出部３は、固定部２の上面および下面からそれぞれ鉛直方向上方および下方に突出する所定の長さの棒状や板状に形成されている。そして、この一対の姿勢確認用突出部３，３の突出方向は、嵌入溝２１が延びる方向と一致するため、一対の姿勢確認用突出部３，３の突出方向を確認することで嵌入溝２１が延びる方向を確認することができる。
また、一対の姿勢確認用突出部３，３は、嵌入溝２１近傍で、嵌入溝２１の幅方向の略中央部に、同一直線状に配されている。一対の姿勢確認用突出部３，３は、固定部２と一体に形成されていてもよく、接着剤などで固定部２に取り付けられていてもよい。
【００２４】
次に、竪樋１１の壁面Ｔへの取り付け方法について説明する。
まず、竪樋支持具１を壁面Ｔに取り付ける。
竪樋支持具１の設置位置を確認し、姿勢確認用突出部３の突出方向が鉛直方向となるように竪樋支持具１の向きを調整する。
次に、固定部２の貫通孔２４にビス４１を挿通し、このビス４１を外壁に螺入する。
【００２５】
これにより、竪樋支持具１は、固定部２の壁面Ｔ側が壁面Ｔに面接触しているとともに嵌入溝２１が鉛直方向に延びている状態で壁面Ｔに固定される。
本実施形態では、１つの竪樋１１を複数の竪樋支持具１で支持しているため、複数の竪樋支持具１が、互いに鉛直方向へ所定間隔をあけて配列された状態で上記のように壁面Ｔへ固定される。
【００２６】
続いて、竪樋支持具１に竪樋１１を固定する。
まず、取付リブ１３を備えた竪樋１１を、壁面Ｔに取り付けられた竪樋支持具１近傍へ運び、竪樋１１の取付リブ１３と竪樋支持具１とを対向させる。このとき、竪樋１１が鉛直方向に延在しているか確認する際に、鉛直方向の基準として姿勢確認用突出部３を参考にしてもよい。
【００２７】
次に、竪樋１１を竪樋支持具１側へ移動させて、取付リブ１３の係止部１５を挟持部２２の係止片２３へ押し付ける。そして、取付リブ１３の係止部１５を挟持部２２の係止片２３へ押し付けることで、一対の挟持部２２を互いに離間する方向へ弾性変形させ、一対の挟持部２２間の嵌入溝２１へ取付リブ１３を嵌入させる。
これにより、図４（ａ）および（ｂ）に示すように、一対の挟持部２２，２２が取付リブ１３を挟持するとともに、挟持部２２の係止片２３が竪樋１１の溝部１６に挿入されて、竪樋１１が竪樋支持具１に支持されるため、竪樋１１は、壁面Ｔに取り付けられる。
【００２８】
次に、上述した竪樋支持具１の効果について図面を用いて説明する。
本実施形態による竪樋支持具１では、嵌入溝２１が延びる方向と同じ方向に固定部２から突出する姿勢確認用突出部３を備えていることにより、固定部２が小さく嵌入溝２１が延びる方向を確認しづらい場合でも、姿勢確認用突出部３の突出方向を確認すれば、嵌入溝２１が延びる方向を容易に確認することができる。このため、竪樋支持具１を、その嵌入溝２１が延びる方向が鉛直方向となるように壁面Ｔへ容易に取り付けることができる。
【００２９】
これにより、竪樋支持具１が曲がった向きで壁面Ｔに取り付けられることがなく、竪樋１１を竪樋支持具１にスムーズに取り付けることができるとともに、竪樋支持具１に支持された竪樋１１が歪んだり湾曲したりすることを防ぐことができる。
【００３０】
また、竪樋支持具１は、嵌入溝２１に竪樋１１の取付リブ１３が嵌入することによって、竪樋１１を支持することができるため、竪樋１１を壁面Ｔへ容易に取り付けることができるとともに、竪樋支持具１が竪樋１１の背面側に隠れ、外観を損なうことがない。
【００３１】
更に、姿勢確認用突出部３は、嵌入溝２１近傍に設けられていることにより、竪樋支持具１に竪樋１１が取り付けられたときに、姿勢確認用突出部３が竪樋１１側に位置するため、図４（ａ）に示すように、姿勢確認用突出部３が竪樋１１の背面側に隠れやすく、更に外観を損なうことがない。
【００３２】
以上、本発明による竪樋支持具１の実施形態について説明したが、本発明は上記の実施形態に限定されるものではなく、その趣旨を逸脱しない範囲で適宜変更可能である。
例えば、上述した実施形態では、一対の姿勢確認用突出部３，３は、嵌入溝２１近傍に設けられていて、両方の姿勢確認用突出部３が同一直線状に配されているが、姿勢確認用突出部３が形成される位置は嵌入溝２１近傍でなくてもよく、同一直線状に配されていなくてもよい。
また、上述した実施形態では、固定部２に対して上側と下側の２つの姿勢確認用突出部３が形成されているが、姿勢確認用突出部３は固定部２に対して１つまたは３つ以上形成されていてもよく、また、固定部２の上側および下側のいずれか一方のみに形成されていてもよい。
【００３３】
また、上述した実施形態では、一対の係止片２３，２３は、互いに対向する側の端面と竪樋１１側の端面との連続面２３ａが、円弧面状の連続面２３ａに形成されているが、互いに対向する側の端面が、竪樋１１側から壁面Ｔ側に向かって対向する係止片２３側へ傾斜するテーパ面に形成されていてもよい。
また、上述した実施形態では、図３に示すように、取付リブ１３の軸部１４は、筒状体１２側から係止部１５側まで略一定の幅に形成されているが、筒状体１２側から係止部１５側に向かうに従い、漸次その幅が大きくなるように形成されていてもよい。
【符号の説明】
【００３４】
１  竪樋支持具
２  固定部
３  姿勢確認用突出部
１１  竪樋
１２  筒状体
１３  取付リブ
２１  嵌入溝
２２  挟持部
Ｔ  壁面（外壁）
【図１】
0005616779.tif 000002
【図２】
0005616779.tif 000003
【図３】
0005616779.tif 000004
【図４】
0005616779.tif 000005